【事件の表示】
　上記当事者間の国際登録第１２１０１０７号商標の登録取消審判事件について、次のとおり審決する。
【結論】
　国際登録第１２１０１０７号商標の指定商品及び指定役務中、第３８類「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｔｅｌｅｃｏｍｍｕｎｉｃａｔｉｏｎ　ｓｅｒｖｉｃｅｓ　ｅｎａｂｌｉｎｇ　ｕｓｅｒｓ　ｔｏ　ｔｒａｎｓｍｉｔ　ｍｅｓｓａｇｅｓ，ｍｕｌｔｉｍｅｄｉａ　ｃｏｎｔｅｎｔ　ａｎｄ　ｏｔｈｅｒ　ｕｓｅｒ−ｇｅｎｅｒａｔｅｄ　ｃｏｎｔｅｎｔ　ｖｉａ　ａ　ｇｌｏｂａｌ　ｃｏｍｐｕｔｅｒ　ｎｅｔｗｏｒｋ　ａｎｄ　ｏｔｈｅｒ　ｃｏｍｐｕｔｅｒ　ａｎｄ　ｃｏｍｍｕｎｉｃａｔｉｏｎｓ　ｎｅｔｗｏｒｋｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ｐｒｏｖｉｄｉｎｇ　ａｃｃｅｓｓ　ｔｏ　ｃｏｍｐｕｔｅｒ，ｅｌｅｃｔｒｏｎｉｃ　ａｎｄ　ｏｎｌｉｎｅ　ｄａｔａｂａｓｅｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｃｏｍｐｕｔｅｒ　ｄａｔａｂａｓｅｓ　ｉｎ　ｔｈｅ　ｆｉｅｌｄｓ　ｏｆ　ｅｎｔｅｒｔａｉｎｍｅｎｔ，ｓｏｃｉａｌ　ｎｅｔｗｏｒｋｉｎｇ，ａｄｖｅｒｔｉｓｉｎｇ，ｍａｒｋｅｔｉｎｇ　ａｎｄ　ｐｒｏｍｏｔｉｏｎ；ｐｒｏｖｉｄｉｎｇ　ａｃｃｅｓｓ　ｔｏ　ｔｅｌｅｃｏｍｍｕｎｉｃａｔｉｏｎ　ｆａｃｉｌｉｔｉｅｓ　ｔｈａｔ　ｅｎａｂｌｅ　ｔｈｅ　ｃｒｅａｔｉｏｎ　ａｎｄ　ｕｐｄａｔｉｎｇ　ｏｆ　ｐｅｒｓｏｎａｌ　ｅｌｅｃｔｒｏｎｉｃ　ｗｅｂ　ｐａｇｅｓ　ｆｅａｔｕｒｉｎｇ　ｕｓｅｒ−ｐｒｏｖｉｄｅｄ　ｃｏｎｔｅｎｔ；ｄｉｓｔｒｉｂｕｔｉｏｎ　ｏｆ　ｅｌｅｃｔｒｏｎｉｃ　ｉｎｆｏｒｍａｔｉｏｎ　ｏｖｅｒ　ｃｏｍｐｕｔｅｒ　ｎｅｔｗｏｒｋｓ，ｇｌｏｂａｌ　ｉｎｆｏｒｍａｔｉｏｎ　ｎｅｔｗｏｒｋｓ　ａｎｄ　ｗｉｒｅｌｅｓｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ；ｂｒｏａｄｃａｓｔｉｎｇ　ｓｅｒｖｉｃｅｓ；ｐｒｏｖｉｓｉｏｎ　ｏｆ　ａｃｃｅｓｓ　ｔｏ　ｂｌｏｇｓ　ａｎｄ　ｆｏｒｕｍｓ　ｆｏｒ　ｔｒａｎｓｍｉｓｓｉｏｎ　ｏｆ　ｍｅｓｓａｇｅｓ；ｉｎｃｌｕｄｉｎｇ，ｂｕｔ　ｎｏｔ　ｌｉｍｉｔｅｄ　ｔｏ，ａｌｌ　ｔｈｅ　ａｆｏｒｅｓａｉｄ　ｐｒｏｖｉｄｅｄ　ｂｙ　ｅｌｅｃｔｒｏｎｉｃ　ｍｅａｎｓ　ｉｎｃｌｕｄｉｎｇ　ｔｈｅ　Ｉｎｔｅｒｎｅｔ；ｉｎｆｏｒｍａｔｉｏｎ，ａｄｖｉｓｏｒｙ　ａｎｄ　ｃｏｎｓｕｌｔａｎｃｙ　ｓｅｒｖｉｃｅｓ　ａｎｄ　ｔｈｅ　ｐｒｅｐａｒａｔｉｏｎ　ｏｆ　ｒｅｐｏｒｔｓ，ａｌｌ　ｒｅｌａｔｉｎｇ　ｔｏ　ｔｈｅ　ａｆｏｒｅｓａｉｄ　ｓｅｒｖｉｃｅｓ．」についての商標登録を取り消す。
　審判費用は、被請求人の負担とする。
【理由】
第１　本件商標
　本件国際登録第１２１０１０７号商標（以下「本件商標」という。）は、「ＱＵＲＡＴＥ」の欧文字を横書きしてなり，２０１３年（平成２５年）１月２３日にＥＵＩＰＯにおいてした商標登録出願に基づいてパリ条約第４条による優先権を主張し、同年７月１８日に国際商標登録出願、第３８類「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｔｅｌｅｃｏｍｍｕｎｉｃａｔｉｏｎ　ｓｅｒｖｉｃｅｓ　ｅｎａｂｌｉｎｇ　ｕｓｅｒｓ　ｔｏ　ｔｒａｎｓｍｉｔ　ｍｅｓｓａｇｅｓ，ｍｕｌｔｉｍｅｄｉａ　ｃｏｎｔｅｎｔ　ａｎｄ　ｏｔｈｅｒ　ｕｓｅｒ−ｇｅｎｅｒａｔｅｄ　ｃｏｎｔｅｎｔ　ｖｉａ　ａ　ｇｌｏｂａｌ　ｃｏｍｐｕｔｅｒ　ｎｅｔｗｏｒｋ　ａｎｄ　ｏｔｈｅｒ　ｃｏｍｐｕｔｅｒ　ａｎｄ　ｃｏｍｍｕｎｉｃａｔｉｏｎｓ　ｎｅｔｗｏｒｋｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ｐｒｏｖｉｄｉｎｇ　ａｃｃｅｓｓ　ｔｏ　ｃｏｍｐｕｔｅｒ，ｅｌｅｃｔｒｏｎｉｃ　ａｎｄ　ｏｎｌｉｎｅ　ｄａｔａｂａｓｅｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｃｏｍｐｕｔｅｒ　ｄａｔａｂａｓｅｓ　ｉｎ　ｔｈｅ　ｆｉｅｌｄｓ　ｏｆ　ｅｎｔｅｒｔａｉｎｍｅｎｔ，ｓｏｃｉａｌ　ｎｅｔｗｏｒｋｉｎｇ，ａｄｖｅｒｔｉｓｉｎｇ，ｍａｒｋｅｔｉｎｇ　ａｎｄ　ｐｒｏｍｏｔｉｏｎ；ｐｒｏｖｉｄｉｎｇ　ａｃｃｅｓｓ　ｔｏ　ｔｅｌｅｃｏｍｍｕｎｉｃａｔｉｏｎ　ｆａｃｉｌｉｔｉｅｓ　ｔｈａｔ　ｅｎａｂｌｅ　ｔｈｅ　ｃｒｅａｔｉｏｎ　ａｎｄ　ｕｐｄａｔｉｎｇ　ｏｆ　ｐｅｒｓｏｎａｌ　ｅｌｅｃｔｒｏｎｉｃ　ｗｅｂ　ｐａｇｅｓ　ｆｅａｔｕｒｉｎｇ　ｕｓｅｒ−ｐｒｏｖｉｄｅｄ　ｃｏｎｔｅｎｔ；ｄｉｓｔｒｉｂｕｔｉｏｎ　ｏｆ　ｅｌｅｃｔｒｏｎｉｃ　ｉｎｆｏｒｍａｔｉｏｎ　ｏｖｅｒ　ｃｏｍｐｕｔｅｒ　ｎｅｔｗｏｒｋｓ，ｇｌｏｂａｌ　ｉｎｆｏｒｍａｔｉｏｎ　ｎｅｔｗｏｒｋｓ　ａｎｄ　ｗｉｒｅｌｅｓｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ；ｂｒｏａｄｃａｓｔｉｎｇ　ｓｅｒｖｉｃｅｓ；ｐｒｏｖｉｓｉｏｎ　ｏｆ　ａｃｃｅｓｓ　ｔｏ　ｂｌｏｇｓ　ａｎｄ　ｆｏｒｕｍｓ　ｆｏｒ　ｔｒａｎｓｍｉｓｓｉｏｎ　ｏｆ　ｍｅｓｓａｇｅｓ；ｉｎｃｌｕｄｉｎｇ，ｂｕｔ　ｎｏｔ　ｌｉｍｉｔｅｄ　ｔｏ，ａｌｌ　ｔｈｅ　ａｆｏｒｅｓａｉｄ　ｐｒｏｖｉｄｅｄ　ｂｙ　ｅｌｅｃｔｒｏｎｉｃ　ｍｅａｎｓ　ｉｎｃｌｕｄｉｎｇ　ｔｈｅ　Ｉｎｔｅｒｎｅｔ；ｉｎｆｏｒｍａｔｉｏｎ，ａｄｖｉｓｏｒｙ　ａｎｄ　ｃｏｎｓｕｌｔａｎｃｙ　ｓｅｒｖｉｃｅｓ　ａｎｄ　ｔｈｅ　ｐｒｅｐａｒａｔｉｏｎ　ｏｆ　ｒｅｐｏｒｔｓ，ａｌｌ　ｒｅｌａｔｉｎｇ　ｔｏ　ｔｈｅ　ａｆｏｒｅｓａｉｄ　ｓｅｒｖｉｃｅｓ．」（以下「本件取消請求に係る指定役務」という。）、第９類、第４１類及び第４２類に属する国際登録に基づく商標権に係る商標登録原簿に記載の商品及び役務を指定商品及び指定役務として、２０１５年（平成２７年）９月１１日に設定登録されたものである。
　なお、本件審判の請求の登録は、２０１８年（平成３０年）９月２１日にされたものであり、この登録前３年以内の期間を、以下「要証期間」という。
第２　請求人の主張の要点
　請求人は、結論同旨の審決を求め、審判請求書、平成３１年１月７日付け審判事件答弁書（以下「答弁書」という。）に対する同年３月８日付け審判事件弁駁書（以下「弁駁書」という。）にて、その理由を要旨以下のように述べ、証拠方法として、審判請求書で甲第１号証及び甲第２号証を、弁駁書で甲第３号証ないし甲第９号証を提出した。
　１　請求の理由
　本件商標は、本件取消請求に係る指定役務について、継続して３年以上日本国内において商標権者、専用使用権者又は通常使用権者（以下「商標権者又は使用権者」という場合がある。）のいずれによっても使用された事実がないから、その登録は商標法第５０条第１項の規定により取り消されるべきものである。
　２　弁駁書の要旨
　被請求人は、答弁書にて、本件商標を、本件取消請求に係る指定役務中「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ」（以下「本件使用役務」という。）に使用しているとして、乙第１号証ないし乙第１１号証を提出しているが、被請求人の提出した証拠には、通常使用権者であると主張するところの「株式会社Ｑｕｒａｔｅ」（以下「Ｑｕｒａｔｅ社」という。）の商号及びその要部が表示されているものの、本件商標が使用されていることは示されていないし、本件取消請求に係る指定役務のいずれかについて、日本国内で要証期間に使用されていたことも証明されていない。
　（１）各争点についての総論
　ア　本件商標の商標権者とＱｕｒａｔｅ社の関係について
　被請求人は、本件商標の商標権者（以下「本件商標権者」という。）が代表取締役を務めるＱｕｒａｔｅ社に黙示の通常使用権を許諾している旨主張するが、その真偽は確認できない。
　イ　被請求人が商標の使用であると主張する表示について
　被請求人は、乙第３号証ないし乙第６号証及び乙第９号証に本件商標が表示されていると主張するが、被請求人が指摘する表示はいずれもＱｕｒａｔｅ社の商号の要部を記載したものであって、自他の役務を識別するための商標の使用には該当しない。
　具体的な商品、役務に関して用いられているのは「Ｑｕｅ」などであって、「Ｑｕｒａｔｅ」が何らかの具体的な商品、役務に関して使用されている事実は示されておらず、専ら商号の要部として表示されているにとどまる。
　ウ　使用に係る役務及び提供主体について
　被請求人によれば、平成２９年（２０１７年）３月２９日から３０日にかけて東京で開催された、新興企業と投資家向けのイベントである「Ｓｌｕｓｈ　Ｔｏｋｙｏ」の模様を生中継するとともに、開催前後において当該イベントに関する動画や音声などをインターネット上で送信したことが、第３８類の本件指定役務に該当し、中継や送信に用いたウェブサイトに本件商標が記載されている、と主張している。
　しかしながら、被請求人が指摘するウェブサイト（乙６）は、イベントの主催者が管理、運営するものであって、Ｑｕｒａｔｅ社等は当該ウェブサイトの作成を支援したにすぎないと考えられる。
　したがって、仮に当該ウェブサイトで何らかの役務が提供されているとしても、それはイベントの主催者が提供しているのであって、Ｑｕｒａｔｅ社等が提供しているのではない。
　仮に、イベント主催者からの委託に基づき、Ｑｕｒａｔｅ社等が当該ウェブサイトの管理、運営を行ったとしても、そこにアクセスした者は、左肩に表示された題号（ＬＩＶＥ　＃ＳＬＵＳＨ　ＴＯＫＹＯ０１７　ＷＡＴＣＨ　ＬＩＶＥ）やドメイン名から、当該ウェブサイトがイベント主催者により提供されていると理解するのであって、Ｑｕｒａｔｅ社等が提供するものと認識することは考えられない。
　乙第６号証のウェブサイトは、被請求人の説明によれば、動画等の投稿サイトである。主催者がイベントを盛り上げるために、その管理するサーバの記憶領域の一部を投稿者に提供（貸与）しているのである。すなわち、自らのイベントの広告宣伝又は提供促進策であって、そもそも役務ではない。
　エ　使用時期について
　乙第３号証の１枚目には「最終更新日：２０１６年８月１０日」と記載されているが、本号証の２枚目と３枚目には日付が見当たらない。これらの頁が要証期間に存在していたことは証明されていない。
　乙第４号証は、各頁の右下端に「２０１８／１２／２８」と表示されていることから、２０１８年１２月２８日にコンピュータから印刷されたものであると考えられるところ、これは要証期間外であるから、要証期間に本号証と同じ画面を有するウェブサイトが存在していたことは証明されていない。
　乙第５号証は、被請求人によれば印刷物による広告であり、平成３０年１２月１４日に印刷されたとされているから、要証期間に頒布されていないことは明らかである。
　乙第６号証は、右下端に「２０１９／０１／０４」とあることからして、２０１９年１月４に印刷したものと考えられるが、これは要証期間外であるから、要証期間に本号証と同じ画面を有するウェブサイトが存在していたことは証明されていない。
　乙第７号証は、右下端に「２０１８／１２／１０」とあることからして、２０１８年１２月１０日に印刷されたものと考えられるところ、その当時の当該ウェブサイトは２０１９年に閲催されるイベントを掲載していたはずであるから、この証拠から２０１７年のイベントがどのようなものであったかを確認することはできない。
　乙第９号証は、その２枚目以下の右下端に「２０１８／１２／２６」とあることからして、２０１８年１２月２６日に印刷されたものと考えられるが、これは要証期間外であるから、要証期間に本号証と同じ画面を有するウェブサイトが存在していたことは証明されていない。
　乙第１０号証は、その２枚目以下の右下端に「２０１９／０１／０４」とあることからして、２０１９年１月４日に印刷されたものと考えられるが、これは要証期間外であるから、要証期間に乙第１１号証と同じ画面を有するウェブサイトが存在していたことは証明されていない。
　したがって、上記の各証拠が要証期間に存在していた事実、頒布された事実は証明されておらず、これらの証拠をもって本件商標が要証期間に使用されたとすることはできない。
　（２）各証拠についての詳論
　ア　乙第３号証について
　乙第３号証は、経済産業省九州経済産業局のウェブサイトであって，官庁がその所管地域の状況について告知するためのものである。
　そこでＱｕｒａｔｅ社等が取り上げられているとしても、事実の紹介にとどまるものであって、同社等の事業について需要者に訴求するためではないから、「広告」には該当しない。官公庁が、一民間企業のためにその商品や役務について広告を行うことはない。よって、本号証の２葉目と３葉目の右上端に「Ｑｕｒａｔｅ」の文字が表示されているとしても、商標法第２条第３項に列挙するいずれの行為にも該当せず、本件取消請求に係る指定役務との関係を論ずるまでもなく、本件商標の使用を証するものではない。
　なお、乙第３号証に表示されている「Ｑｕｒａｔｅ」は、具体的な商品、役務との関係で表示されているものではなく、本文中に登場する「Ｑｕｒａｔｅ」と同様に、「株式会社Ｑｕｒａｔｅ」の商号の略称を表示したにとどまると見るべきである。
　イ　乙第４号証について
　被請求人が本件商標の使用であると主張しているのは、「Ｃｏｍｐａｎｙ」と題する項目で赤線が付された表示と思われるところ、乙第４号証の３頁目に表示された「Ｑｕｒａｔｅ　Ｉｎｃ．」は、Ｑｕｒａｔｅ社の商号を英文で表記したものであることが明らかであって、商標ではない。本号証の１頁目には「Ｑｕｒａｔｅ」がやや大きく表されているが、具体的な商品や役務との関係で用いられているものではないから、商号の略称と認識されることが自然である。このことは、米国で一般的な登録表示が付されていることで変わるものではない。
　そもそも、乙第４号証（訳文を含む）を読んでも、Ｑｕｒａｔｅ社等がどのような商品や役務を提供しているのかが定かでない。本号証のウェブサイトは、国内ではなく英語圏の需要者をターゲットにしていることを示唆している。
　加えて、乙第４号証には本件取消請求に係る指定役務との関連性をうかがわせる記載は皆無である。
　ウ　乙第５号証について
　乙第５号証は、本件要証期間後に作成された広告物であるから、使用を示す証拠となり得ないものであり、本号証を平均的な日本人が読んでもＱｕｒａｔｅ社がどのような商品や役務を提供しているのかが理解できない。
　乙第５号証に、乙第４号証のウェブサイトのアドレスを記載するだけで、当該ウェブサイトの内容を乙第５号証の一部とすることはできない。
　エ　乙第６号証について
　（ア）Ｓｌｕｓｈ　Ｔｏｋｙｏ　Ｌｉｖｅのウェブサイト（乙６）は、イベントの主催者が開設しているものである。
　したがって、当該ウェブサイトはイベント主催者が管理、運営しているものであって、Ｑｕｒａｔｅ社等ではないと考えられる。
　そうすると、仮に当該ウェブサイトで何らかの役務が提供されたとしても、それはイベント主催者が提供しているのであって、Ｑｕｒａｔｅ社等が提供しているものでははない。
　（イ）仮に、Ｑｕｒａｔｅ社等がイベント主催者からの委託に基づき、当該ウェブサイトの管理、運営を受託していたとしても、左肩に大きく表示された「ＬＩＶＥ＃ＳＬＵＳＨ　ＴＯＫＹＯ１７　ＷＡＴＣＨ　ＬＩＶＥ」の記載や、ドメイン名から、当該ウェブサイトにアクセスした者は、それがイベント主催者によって提供されているものと理解することが通常であって、Ｑｕｒａｔｅ社等が提供していると認識することはない。
　したがって、乙第６号証のウェブサイトで生中継や動画送信等の役務が提供されており、当該ウェブサイトに本件商標が記載されているという被請求人の主張を前提にしたとしても、本件商標がそれら役務の出所を表すものと認識されることはない。換言すれば、被請求人の主張を前提にしたとしてもなお、本件商標がそれら役務について使用されたとはいえない。
　（ウ）被請求人は、乙第６号証のどこに本件商標が表示されているのか説明していないが、被請求人が付したと思われる矢印からして、各頁の下端に小さく記載された「Ｐｏｗｅｒｅｄ　ｂｙ　Ｑｕｒａｔｅ」が本件商標であるとの主張と考えられる。
　「Ｐｏｗｅｒｅｄ　ｂｙ　◯◯」は比較的最近になって目にするようになった用法であるが、「その会社のテクノロジーを使っている、その会社がサービスのインフラを支えている」との意味合いのようである（甲４）。
　したがって、乙第６号証のウェブサイトにおいて「Ｐｏｗｅｒｅｄ　ｂｙ　Ｑｕｒａｔｅ」に気付いた者は、当該ウェブサイトにＱｕｒａｔｅ社の技術が用いられているといった意味合いを理解するのであって、「Ｑｕｒａｔｅ」を商号の略称と認識するに止まる。
　（エ）付言すれば、「Ｐｏｗｅｒｅｄ　ｂｙ　Ｑｕｒａｔｅ」が本件商標と社会通念上同一の商標と見る余地はない。
　加えて、本件請求人の代理人が、乙第６号証のウェブサイトを閲覧したところ、各頁の下端の表示は乙第６号証と相違しており、「Ｐｏｗｅｒｅｄ　ｂｙ」は読み取れるものの、「Ｑｕｒａｔｅ」は判読できない（甲５）。
　実際のウェブサイトにおける表示は、乙第６号証の末尾に示されたものと同じであるが、本号証の２枚目などに表示された「Ｑｕｒａｔｅ」は、「ｂｙ」との間に不自然に広いスペースがある。
　（オ）乙第６号証のウェブサイトに関して、Ｑｕｒａｔｅ社等が行ったことは、イベント主催者による当該ウェブサイトの制作を支援することであったと考えられる。Ｓｌｕｓｈ　Ｔｏｋｙｏで検索してヒットする現在のウェブサイトには、その末尾に「ＷＥＢＳＩＴＥ　ＢＹ　ＥＶＥＲＭＡＤＥ」なる記載がある（甲６）。なお、甲第６号証を印刷すると「ＥＶＥＲＭＡＤＥ」が消え、代わりにドメイン名が表示され、このドメイン名をクリックすると甲第７号証のウェブサイトが表示され、ＥＶＥＲＭＡＤＥがフィンランドに所在するウェブサイト制作会社であることが分かる。
　これとの対比からしても、Ｑｕｒａｔｅ社等が行ったことは、乙第６号証のウェブサイト制作支援であったと考えることが自然である。
　（カ）被請求人によれば、「乙第６号証のウェブサイトを介した動画、音声、写真の送信は、Ｓｌｕｓｈ　Ｔｏｋｙｏに関心のある者が、コンピューターやスマートフォンでインターネットを通じて乙第６号証のウェブサイトにアクセスし、ビデオカメラ、デジタルカメラ、スマートフォン等で撮影した動画、音声、写真をアップロードすることにより、乙第６号証のウェブサイトにアクセスした者に対して行われます。」、「一方、乙第６号証のウェブサイトにアップロードされた動画、音声、写真、文章の受信及び閲覧を希望する者は、乙第６号証のウェブサイトにアクセスし、乙第６号証のウェブサイトに掲載された写真又は文章をクリックすることにより、動画、音声、写真、文章を自己のコンピュータで受信して閲覧ができます。」とされている。すなわち、当該ウェブサイトは、動画や写真などのアップロードを受け付け、他人がダウンロードして閲覧することを可能とするものであって、いわゆる投稿サイトに他ならない。これは、技術的に見れば、放送や通信ではなく、サーバの記憾領域の一部を提供（貸与）していることである。
　この点からしても、Ｑｕｒａｔｅ社等が第３８類の役務を提供していたと見ることはできない。
　（キ）ちなみに、Ｑｕｒａｔｅ社等が提供したと主張する役務「Ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ」は、「ウェブサイト利用者を他のウェブサイトに移動させるオンライン通信リンクへの接続の提供である（甲８）。単にリンクを設けるだけではなく、リンク先への接続を提供することがこの役務である。サーバとインターネット回線の接続を担う事業者が提供する役務と考えられる。
　（ク）イベント主催者が、動画等の投稿を可能としていたのは、当該イベントを盛り上げるとともに、来場者以外にも認知を広げるためであると考えられる。これは、自らのイベントの広告宣伝であり、販促活動に他ならず、他人のために提供する役務でははい。つまり、乙第６号証では放送や通信はおろか、何らの役務も提供されていない。
　（ケ）したがって、乙第６号証から、本件商標が第３８類の上記指定役務に使用されたことが証明されるとの被請求人の主張は、失当である。
　オ　乙第７号証について
　乙第７号証は、「Ｓｌｕｓｈ　Ｔｏｋｙｏ」がどのようなイベントであるのかを記載したにとどまり、本件商標の使用とは無関係である。
　カ　乙第８号証について
　乙第８号証は、「Ｓｌｕｓｈ」がどのようなイベントであるかを紹介したウィキペディアの記事にすぎず、本件商標の使用とは無関係である。
　なお、被請求人が提出した証拠説明書によれば、乙第８号証の作成日は平成２９年１１月７日とされているが、本号証にこの日付は記載されておらず、出典も不明である。
　さらに、乙第８号証の２枚目と３枚目は、内容が不明である。
　印刷日（２０１９年１月４日）当時に、乙第８号証の１枚目に記載されたドメインをクリックすると、２０１９年のイベントの広告が表示されたはずであって、２０１７年のイベントを記載したと思しき本号証の２枚目、３枚目のような情報が表示されることはない。
　キ　乙第９号証について
　（ア）乙第９号証の１枚目に表示された「Ｑｕｒａｔｅ　Ｂｌｏｇ」や「＠Ｑｕｒａｔｅ」、「Ｖａｒｉｏｕｓ　ｎｅｗｓ　ｃｌｉｐｐｉｎｇ　ｆｒｏｍ　ｔｈｅ　ｗｏｒｌｄ　ｏｆ　Ｑｕｒａｔｅ」の記載における「Ｑｕｒａｔｅ」は、商品や役務と無関係に表示されており、Ｑｕｒａｔｅ社の商号の略称を表したものと認識されることはあっても、商標と理解されることはない。
　（イ）被請求人によれば、乙第９号証に、Ｑｕｒａｔｅ社等がＳｌｕｓｈＴｏｋｙｏ２０１７に出典したこと、ブースや出展者一覧に本件商標が表示されたこと、Ｑｕｒａｔｅ社の代表取締役が講演した際に背後の画面に本件商標が映されていたこと、が示されているとのことである。
　しかし、乙第９号証は、Ｑｕｒａｔｅ社等らのブログであって、自らアップロードした写真であるから、真偽の程は確認ができず、証拠として認めることはできない。
　仮に、乙第９号証の写真が真正なものであり、ブース等に「Ｑｕｒａｔｅ」が表示されていたとしても、基本的にはＱｕｒａｔｅ社の商号の略称としての使用に止まる。加えて、本件取消請求に係る指定役務のいずれかについての使用であることをうかがわせるような記載は皆無である。
　Ｓｌｕｓｈは新興企業と投資家を結び付けることを目的とするイベントであり（乙７及び乙８）、投資家は、商品や役務の需要者ではない。
　したがって、Ｑｕｒａｔｅ社等がＳｌｕｓｈ　Ｔｏｋｙｏ２０１７に出展し、ブース等に「Ｑｕｒａｔｅ」を表示したとしても、それはＱｕｒａｔｅ社への投資を勧誘する目的であって、会社名を覚えてもらうことを目的としてなされたことであるから、役務を提供するための勧誘である広告とは異なる。
　（ウ）乙第９号証の末尾から２枚目の下方には、「Ｐｏｗｅｒｅｄ　ｂｙ　（図形）　Ｑｕｒａｔｅ」なる記載が小さく表示されている。
　画面は乙第６号証の１枚目と同じではないかと思われるが、表示が相違していることから、乙第６号証に「Ｐｏｗｅｒｅｄ　ｂｙ　Ｑｕｒａｔｅ」が記載されていたとは考え難い。
　なお、乙第９号証の上記頁の下端に「Ｍａｄｅ　ｏｎ　ａｎｄ　ｂｙ　（図形）　Ｑｕｒａｔｅ，Ｉｎｃ．」とあり、矢印が付されているが、「Ｑｕｒａｔｅ，Ｉｎｃ．」は英文商号そのものであり商標でない。
　ク　乙第１０号証について
　乙第１０号証は、Ｓｌｕｓｈ　Ｔｏｋｙｏ２０１７への出展申込書とのことであるが、本件商標の使用とはおよそ関係がない。
　被請求人は、第３８類の指定役務を提供したことがあると主張しながら、当該役務の提供に際して顧客との間で交わす帳票類を一切提出していない。
　ケ　乙第１１号証について
　乙第１１号証は、ツィッターの画面を印刷したものとのことであるが、本件商標はどこにも見当たらない。本号証は、乙第６号証のウェブサイトにおいて、「Ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ」なる役務が提供されていることを示すものとして提出されているが、ハッシュタグ（＃）で検索を可能にする機能を提供しているのはツィッターであって、Ｑｕｒａｔｅ社等ではないから、乙第６号証のウェブサイトでそのような役務が提供されているものでもない。
　（３）結び
　以上のとおり、被請求人が提出した証拠によっては、本件商標が本件取消請求に係る指定役務のいずれかににつき、日本国内で、要証期間に、使用された事実が何ら証明されていない。
第３　被請求人の主張の要点
　被請求人は，本審判の請求は成り立たない、審判費用は請求人の負担とするとの審決を求め、答弁書において、その理由を要旨以下のように述べ、証拠方法として、乙第１号証ないし乙１１号証を提出した。
　１　答弁書による主張の要旨
　本件商標の通常使用権者であるＱｒａｔｅ社は、要証期間に、我が国において、本件取消請求に係る指定役務中の本件使用役務について、本件商標を使用している。
　（１）本件商標の使用事実
　ア　商標の使用者
　乙第１号証は、本件商標の商標登録原簿であり、本件商標権者「ＴｈｏｍａｓＢｒｏｏｋｅ」は、自己が代表取締役を務めるＱｒａｔｅ社に対して、本件商標の通常使用権を黙示的に許諾している。
　乙第２号証は、Ｑｕｒａｔｅ社の履歴事項全部証明書であり、本件商標権者は居所を「福岡市中央区黒門３番２２−２０１号」として、平成２６年（２０１４年）２月４日付けで同住所にＱｕｒａｔｅ社を設立し、同社の代表取締役を務めている。Ｑｕｒａｔｅ社の履歴事項全部証明書（乙２）の目的の欄には、同社の目的として、「１．メディアコンテンツの企画、デザイン、開発、導入支援、販売、マーケティング及びメンテナンス」、「２．コンピュータアプリケーションの企画、デザイン、開発、導入支援、販売、マーケティング及びメンテナンス」、「３．ウェブアプリケーションの企画、デザイン、開発、導入支援、販売、マーケティング及びメンテナンス」、「４．企業イメージの構築支援及び企業ブランディング」、「５．ハードウェアと統合するアプリケーション、ウェブサイト及びシステム（ＩｏＴ）の企画、デザイン、開発、導入支援、販売、マーケティング及びメンテナンス」、「６．前号に付帯関連する一切の事業」と記載されており、同社は当該目的に沿った事業を日本国内で行っている。
　乙第３号証は、Ｑｕｒａｔｅ社を紹介する記事であり、経済産業省九州経済産業局のウェブサイトにおける「九州の主な外資系企業・外国人による創業の事例に掲載されている。Ｑｕｒａｔｅ社を紹介する記事（乙３）には、本件商標が記載されるとともに、同社の代表取締役を本件商標権者が務めている旨、同社の事業内容、同社が本件商標を使用したシステムを開発した旨、本件商標を使用したシステムのメリット等が記載されていることから、乙第３号証は、同社の広告に相当する。Ｑｕｒａｔｅ社を紹介する記事（乙３）に記載した住所は、履歴事項全部証明書（乙２）の本店の欄に記載された同社の旧住所「福岡県福岡市中央区大名１丁目１４番２８第一松村ビル４０２号室」と同一であるから、同社は本件商標を使用している。
　乙第４号証は、Ｑｕｒａｔｅ社のウェブサイトによる広告であり、同社が自己の業務を紹介するために制作して開設し、維持及び管理するものである。
　Ｑｕｒａｔｅ社のウェブサイトによる広告（乙４）中の「Ｃｏｍｐａｎｙ」の項目には、本件商標を記載しており、同社の住所は、履歴事項全部証明書（乙２）の本店の欄に記載された住所と同一である。
　したがって、Ｑｕｒａｔｅ社は本件商標を使用している。
　また、Ｑｕｒａｔｅ社は、同社のウェブサイトによる広告（乙４）中の「ＯｕｒＴｅａｍ」の項目において、同社のＣＥＯ（最高経営責任者）として、本件商標権者を記載して紹介している。
　乙第５号証は、Ｑｕｒａｔｅ社の印刷物による広告であり、同社が自己の業務を紹介するために制作して配布したものである。
　Ｑｕｒａｔｅ社は、当該資料に本件商標を記載するとともに、自己の事業を紹介するウェブサイトのアドレス「ｑｕｒａｔｅ．ｃｏｍ」を記載することにより、当該資料の閲覧者を同社のウェブサイトによる広告（乙４）へ誘導して、同社の事業の内容及び連絡先を紹介している。
　したがって、Ｑｕｒａｔｅ社は本件商標を使用している。
　乙第６号証は、Ｓｌｕｓｈ　Ｔｏｋｙｏ　Ｌｉｖｅのウェブサイトであり、Ｓｌｕｓｈは、世界各国で開催されるスタートアップ企業のアピール及び投資家との交流を目的としたイベントである（乙７）。我が国においてＳｌｕｓｈは、Ｓｌｕｓｈ　Ｔｏｋｙｏと題して、平成２９年（２０１７年）３月２９日から３０日に東京ビッグサイトで開催された（乙８）。Ｑｕｒａｔｅ社は、Ｓｌｕｓｈ　Ｔｏｋｙｏの模様を、乙第６号証のウェブサイトを介して、開催日当日は生中継による動画、音声、写真、文章をインターネット上で送信した。
　また、Ｑｕｒａｔｅ社は、乙第６号証のウェブサイトを介して、生中継だけでなく開催前後においても、Ｓｌｕｓｈ　Ｔｏｋｙｏに関する動画、音声、写真、文章をインターネット上で送信した。乙第６号証のウェブサイトには本件商標が記載されている。
　したがって、Ｑｕｒａｔｅ社は本件商標を使用している。
　乙第９号証は、平成２９年（２０１７年）４月３日付けのＱｕｒａｔｅ社のブログ記事であり、また、乙第１０号証は、Ｓｌｕｓｈ　Ｔｏｋｙｏパートナーシップ申込書であり、これらは、Ｑｕｒａｔｅ社が、平成２９年（２０１７年）３月２９日からから３０日に開催されたＳｌｕｓｈ　Ｔｏｋｙｏの模様を、乙第６号所のウェブサイトを介して、生中継による動画、音声、写真、文章をインターネット上で送信したとともに、Ｑｕｒａｔｅ社がＳｌｕｓｈ　Ｔｏｋｙｏへ出展して、乙第６号証のウェブサイトを介した役務の提供を展示したことを表すものである。
　また、乙第９号証は、Ｑｕｒａｔｅ社の展示ブースに本件商標が記載され、出展者一覧の表示板に本件商標が記載され、壇上で講演するＱｕｒａｔｅ社の代表取締役を務める本件商標権者の背後には本件商標が記載され、乙第６号証のウェブサイトには本件商標が記載されている。
　したがって、Ｑｕｒａｔｅ社は本件商標を使用している。
　イ　使用に係る役務
　（ア）乙第６号証のウェブサイトは、Ｑｕｒａｔｅ社が開発及び提供するウェブサイトを表すものであり、Ｑｕｒａｔｅ社は、乙第６号証のウェブサイトを介して、本件取消請求に係る指定役務中の本件使用役務を提供した。
　詳しくは、Ｑｕｒａｔｅ社は、乙第６号証のウェプサイトを介して、平成２９年（２０１７年）３月２９日から３０日に開催されたＳｌｕｓｈ　Ｔｏｋｙｏの模様について、開催日当日は生中継による動画、音声、写真、文章をインターネット上で送信した。
　また、Ｑｕｒａｔｅ社は、乙第６号証のウェブサイトを介して、生中継だけでなく開催前後においても、Ｓｌｕｓｈ　Ｔｏｋｙｏに関する動画、音声、写真、文章をインターネット上で送信した。
　乙第６号証のウェブサイトを介した動画、音声、写真の送信は、Ｓｌｕｓｈ　Ｔｏｋｙｏに関心のある者が、コンピューターやスマートフォンでインターネット通じて乙第６号証のウェブサイトにアクセスし、ビデオカメラ、デジタルカメラ、スマートフォン等で撮影した動画、音声、写真をアップロードすることにより、乙第６号証のウェブサイトにアクセスした者に対して行われる。
　乙第６号証のウェブサイトを介した文章の送信は、デスクトップ型コンピューター、ノートブック型コンピューター、タブレット型コンピューター、スマートフォン等で入力したテキストデータをアップロードすることにより、乙第６号証のウェブサイトにアクセスした者に対して行われる。
　また、乙第６号証のウェブサイトには、ツィッターのウェブサイトへ転送するオンライン通信リンクを設け、オンライン通信リンクを介して、動画、音声、写真、文章を送信できる（乙１１）。
　なお、現在、乙第６号証のウェブサイトでは、動画、音声、写真、文章をアップロードする機能は停止されている。
　一方、乙第６号証のウェブサイトにアップロードされた動画、音声、写真、文章の受信及び閲覧を希望する者は、乙第６号証のウェブサイトにアクセスし、乙第６号証のウェブサイトに掲載された写真又は文章をクリックすることにより、動画、音声、写真、文章を自己のコンピューターで受信して閲覧ができる。
　また、ツィッターのウェブサイトへ転送するオンライン通信リンクをクリックすることにより、オンライン通信リンクを介して、動画、音声、写真、文章の受信及び閲覧ができる（乙１１）。
　乙第６号証のウェブサイトは、Ｑｕｒａｔｅ社が開発したコンピュータソフトウェアを用いることにより、デスクトップ型コンピューター、ノートブック型コンピューター、タブレット型コンピューター、スマートフォンといった端末の形式を問わず、動画、音声、写真、文章の送受信及び閲覧が可能である。
　乙第６号証のウェブサイトは、需要者が用いる端末の形式を問わず、需要者は有線または無線によるインターネット通信を介して、動画、音声、写真（データ）及び文章（メッセージ）の送受信を可能とするものである。
　したがって、Ｑｕｒａｔｅ社は、乙第６号証のウェブサイトを介して、本件商標の第３８類の指定役務中の「Ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ．」の役務を提供した。
　（イ）乙第６号証のウェブサイト中、黒色のアンダーラインが引かれた文章は、ツィッターのウェブサイトへ転送するためのオンライン通信リンクである。
　したがって、Ｑｕｒａｔｅ社は、乙第６号証のウェブサイトを介して、本件商標の第３８類の指定役務中の「Ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ．」の役務を提供した。
　（ウ）乙第６号証のウェブサイトは、平成２９年（２０１７年）３月２９日から３０日に開催されたＳｌｕｓｈ　Ｔｏｋｙｏに関心がある者が、インターネットを通じて適時Ｓｌｕｓｈ　Ｔｏｋｙｏに関する動画、音声、写真、文章をアップロードできたことから、Ｓｌｕｓｈ　Ｔｏｋｙｏに関するオンラインフォーラム又は電子掲示板通信と解することができる。
　したがって、Ｑｕｒａｔｅ社は、乙第６号証のウェブサイトを介して、本願商標の第３８類の指定役務中の「Ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ．」の役務を提供した。
　（エ）乙第６号証のウェブサイトは、ウェブサイトにアップロードされた動画、音声、写真、文章をインターネットを用いたコンピューターネットワーク及び電子ネットワークによって、閲覧を希望する者の求めに応じて、動画、音声、写真、文章を同時に配信することも可能である。
　したがって、Ｑｕｒａｔｅ社は、乙第６号証のウェブサイトを介して、本願商標の第３８類の指定役務中の「Ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ．」の役務を提供した。
　（オ）乙第６号証のウェブサイトに記載された「＃ｓｌｕｓｈ　ｔｏｋｙｏ１７」をクリックすることにより、ツィッターのウェブサイト中の「＃ｓｌｕｓｈ　ｔｏｋｙｏ１７」が記載された投稿を検索して収取できることから（乙１１）、乙第６号証のウェブサイトは、データベース内の情報を検索するウェブサイトと解することができる。
　また、このウェブサイトには、縦書きの赤色の文字で「ＳＬＵＳＨ　ＴＯＫＹＯ」と記載され、この記載をクリックすることで、Ｓｌｕｓｈ　Ｔｏｋｙｏのウェブサイトに転送されることから、乙第６号証のウェブサイトは、誘導用のウェブサイトと解することもできる。
　したがって、Ｑｕｒａｔｅ社は、乙第６号証のウェブサイトを介して、本願商標の第３８類の指定役務中の「Ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ．」の役務を提供した。
　（カ）そして、本件商標の第３８類の指定役務中の「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ」は、上述した指定役務を包含する役務であることから、Ｑｕｒａｔｅ社は、乙第６号証のウェブサイト介して、「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ」の役務を提供した。
　（キ）乙第３号証のＱｕｒａｔｅ社を紹介する記事、乙第４号証のＱｕｒａｔｅ社のウェブサイトによる広告、乙第５号証のＱｕｒａｔｅ社の印刷物による広告は、何れも、本件商標の第３８類の指定役務「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ　ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ．」に関する広告である。
　ウ　使用に係る商標
　乙第３号証のＱｕｒａｔｅ社を紹介する記事には、本件商標が記載されている。
　乙第４号証のＱｕｒａｔｅ社のウェブサイトによる広告には、本件商標が記載されている。
　乙第５号証のＱｕｒａｔｅ社の印刷物による広告には、本件商標が記載されている。
　乙第６号証のウェブサイトには、本件商標が記載されている。
　乙第９号証のＱｕｒａｔｅ社のブログ記事には、本件商標が記載されている。
　乙第３号証ないし乙第６号証及び乙第９号証に記載された商標は、いずれも本件商標の書体のみに変更を加えた同一の文字からなる商標であることから、本件商標の使用と認められるべきである。
　エ　使用時期
　乙第１号証の国際登録第１２１０１０７号の商標登録原簿によると、本件審判請求登録の日は、平成３０年（２０１８年）９月２１日である。
　したがって、要証期間は、同２７年（２０１５年）９月２１日から同３０年（２０１８年）９月２０日である。
　乙第３号証のＱｕｒａｔｅ社を紹介する記事には、最終更新日付として、２０１６年（平成２８年）８月１０日と記載されている。
　したがって、乙第３号証は、要証期間である平成２８年（２０１６年）８月１０日に、本件商標が使用されたことを明らかにするものである。
　乙第８号証のＳｌｕｓｈ　Ｔｏｋｙｏの開催時期に関する資料によると、Ｓｌｕｓｈ　Ｔｏｋｙｏは、平成２９年（２０１７年）年３月２９日から３０日まで開催されたことが明らかである。
　乙第６号証のウェブサイト中の「ＤＡＹ」のボタンをクリックすると、Ｓｌｕｓｈ　Ｔｏｋｙｏの開催第一日目である平成２９年（２０１７年）３月２９日に、乙第６号証のウェブサイトにアップロードされた動画、音声、写真、文章が表示される。
　したがって、乙第６号証は、要証期間である平成２９年（２０１７年）３月２９日において、本件商標が使用されたことを明らかにするものである。
　乙第６号証のウェブサイト中の「ＤＡＹ２」のボタンをクリックすると、Ｓｌｕｓｈ　Ｔｏｋｙｏの開催第二日目である平成２９年（２０１７年）３月３０日に、乙第６号証のウェブサイトにアップロードされた動画、音声、写真、文章が表示されている。
　したがって、乙第６号証は、要証期間である平成２９年（２０１７年）３月３０日において、本件商標が使用されたことを明らかにするものである。
　乙第６号証のウェブサイト中の「ＰＯＳＴＳＨＯＷ」のボタンをクリックすると、平成２９年（２０１７年）４月３日から４日までに編集された動画、音声、写真、文章が表示される。
　したがって、乙第６号証は、要証期間である平成２９年（２０１７年）４月３日から４日において、本件商標が使用されたことを明らかにするものである。
　乙第９号証のＱｕｒａｔｅ社のブログ記事、及び乙第１０号証のパートナーシップ申込書は、平成２９年（２０１７年）３月２９日から３０日に開催されたＳｌｕｓｈ　Ｔｏｋｙｏの模様を、Ｑｕｒａｔｅ社が生中継による動画、音声、写真、文章をインターネット上で送信したとともに、Ｓｌｕｓｈ　Ｔｏｋｙｏへ出展して、このウェブサイトを介した役務を展示したことを表すものである。
　したがって、乙第９号証及び乙第１０号証は、要証期間である平成２９年（２０１７年）３月２９日から３０日において、本件商標が使用されたことを明らかにするものである。
　（２）結び
　以上のとおり、Ｑｕｒａｔｅ社は、要証期間に日本国内において、本件商標の第３８類の指定役務中の「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ．」について、本件商標を使用している。
第４　当審においてした審尋
　合議体は、令和２年９月１７日付け審尋において、被請求人に対し、被請求人が提出した証拠によっては、被請求人は、商標権者又は使用権者のいずれかが、本件商標又は本件商標と社会通念上同一の商標を、本件取消請求に係る指定役務のいずれかについて、要証期間に日本国内において、商標法第２条第３項各号のいずれかに該当する使用行為を行ったことを証明していない旨の合議体の暫定的見解及び弁駁書に対する回答を求めた。
　被請求人は、上記内容の審尋に対し何らの応答もしていない。
第５　当審の判断
　１　被請求人の立証責任
　商標法第５０条による商標登録の取消審判の請求があったときは、同条第２項の規定により、被請求人において、その請求に係る指定商品又は指定役務のいずれかについての登録商標の使用をしていることを証明し、又は使用をしていないことについて正当な理由があることを明らかにしない限り、その登録の取消しを免れない。
　すなわち、本件商標の使用をしていることを証明するには、商標法第５０条第２項に規定されているとおり、被請求人は、ア　要証期間に、イ　日本国内において、ウ　商標権者又は使用権者のいずれかが、エ　本件取消請求に係る指定役務のいずれかについての、オ　本件商標又は本件商標と社会通念上同一の商標の使用（商標法第２条第３項各号のいずれかに該当する使用行為）をしていることをすべて証明する必要がある。
　２　被請求人の主張及び被請求人の提出に係る証拠によれば、以下のとおりである。
　被請求人は、本件商標権者から本件商標の通常使用権を黙示的に許諾されたＱｕｒａｔｅ社が、要証期間に日本国内において、本件取消請求に係る指定役務中の本件使用役務について、本件商標と社会通念上同一と認められる商標を使用している旨を主張し、乙第１号証ないし乙第１１号証を提出した。
　そこで、被請求人の提出に係る答弁の全趣旨及び上記乙各号証について、以下検討する。
　（１）本件商標の使用者について
　被請求人は、本件商標権者は、自己が代表取締役を務めるＱｕｒａｔｅ社に対して、本件商標の通常使用権を黙示的に許諾している旨を主張するが、本件商標の国際登録に基づく商標権に係る商標登録原簿（乙１）によると、本件商標権者は、Ｕｎｉｔｅｄ　Ｋｉｎｇｄａｍ在であり、Ｑｕｒａｔｅ社の履歴事項全部証明書（乙２）の「役員に関する事項」の欄に記載された「代表取締役」の住所は、「福岡市中央区」であることから、本件商標権者とＱｕｒａｔｅ社の代表取締役が同一人であることが確認できない。
　その他、被請求人は、Ｑｕｒａｔｅ社が、本件商標の通常使用権者であることを立証する証拠を提出していない。
　したがって、被請求人の提出に係る乙各号証によっては、Ｑｕｒａｔｅ社が、本件商標の通常使用権者とは認めることができない。
　（２）本件商標の使用に係る役務について
　被請求人は、Ｑｕｒａｔｅ社が、Ｓｌｕｓｈ　Ｔｏｋｙｏ　Ｌｉｖｅのウェブサイト（乙６）を介して、本件使用役務を提供した旨を主張する。
　しかしながら、本件取消請求に係る指定役務である第３８類の役務は、主に電気通信の手段（方法）等電気通信に関する役務を提供するものであるところ、Ｑｕｒａｔｅ社がＳｌｕｓｈＴｏｋｙｏＬｉｖｅのウェブサイト（乙６）を介して、動画、音声、写真、文章をインターネット上で送信した役務は、国際分類の第４１類に属する「ｐｒｏｖｉｄｉｎｇ　ｏｎｌｉｎｅ　ｖｉｄｅｏｓ，ｎｏｔ　ｄｏｗｎｌｏａｄａｂｌｅ」に類推される役務と考えられ、本件取消請求に係る指定役務中の「Ｔｅｌｅｃｏｍｍｕｎｉｃａｔｉｏｎ　ａｎｄ　ｃｏｍｍｕｎｉｃａｔｉｏｎ　ｓｅｒｖｉｃｅｓ；ｅｌｅｃｔｒｏｎｉｃ　ｔｒａｎｓｍｉｓｓｉｏｎ　ｏｆ　ｄａｔａ，ｍｅｓｓａｇｅｓ　ａｎｄ　ｉｎｆｏｒｍａｔｉｏｎ　ｂｅｔｗｅｅｎ　ａｎｄ　ａｍｏｎｇ　ｃｏｍｐｕｔｅｒｓ，ｍｏｂｉｌｅ　ａｎｄ　ｈａｎｄｈｅｌｄ　ｄｅｖｉｃｅｓ　ａｎｄ　ｗｉｒｅｄ　ａｎｄ　ｗｉｒｅｌｅｓｓ　ｃｏｍｍｕｎｉｃａｔｉｏｎ　ｄｅｖｉｃｅｓ；ｐｒｏｖｉｄｉｎｇ　ｏｎｌｉｎｅ　ｃｏｍｍｕｎｉｃａｔｉｏｎｓ　ｌｉｎｋｓ　ｗｈｉｃｈ　ｔｒａｎｓｆｅｒ　ｕｓｅｒｓ　ｔｏ　ｏｔｈｅｒ　ｗｅｂｓｉｔｅｓ；ｐｒｏｖｉｄｉｎｇ　ｏｎｌｉｎｅ　ｆｏｒｕｍｓ，ｃｈａｔ　ｒｏｏｍｓ　ａｎｄ　ｅｌｅｃｔｒｏｎｉｃ　ｂｕｌｌｅｔｉｎ　ｂｏａｒｄｓ；ａｕｄｉｏ，ｔｅｘｔ，ｖｉｄｅｏ　ａｎｄ　ｍｕｌｔｉｍｅｄｉａ　ｂｒｏａｄｃａｓｔｉｎｇ　ｓｅｒｖｉｃｅｓ　ｏｖｅｒ　ｃｏｍｐｕｔｅｒ　ａｎｄ　ｅｌｅｃｔｒｏｎｉｃ　ｃｏｍｍｕｎｉｃａｔｉｏｎｓ　ｎｅｔｗｏｒｋｓ；ｐｒｏｖｉｄｉｎｇ　ａｃｃｅｓｓ　ｔｏ　ｗｅｂｐａｇｅｓ　ａｎｄ　ｄａｔａｂａｓｅｓ　ｆｏｒ　ｓｅａｒｃｈｉｎｇ　ａｎｄ　ｎａｖｉｇａｔｉｎｇ　ｗｉｔｈｉｎ　ｉｎｆｏｒｍａｔｉｏｎ　ｆｒｏｍ　ｄａｔａｂａｓｅｓ；」に該当する役務と認めることができない。
　その他、被請求人は、商標権者又は使用権者のいずれかが、本件取消請求に係る指定役務のいずれかについて、本件商標又は本件商標と社会通念上同一の商標を使用していることを証明していない。
　したがって、被請求人の提出に係る乙各号証によっては、被請求人は、商標権者又は使用権者のいずれかが、本件取消請求に係る指定役務のいずれかについて、本件商標又は本件商標と社会通念上同一の商標を使用していることを証明していない。
　３　上記２によれば、当審の判断は、以下のとおりである。
　（１）本件商標の使用者について
　本件商標権者とＱｕｒａｔｅ社との関係が明らかではなく、また、本件商標権者とＱｕｒａｔｅ社との間で、本件商標の通常使用権を許諾する契約が締結されていたことも確認できない。
　そうすると、Ｑｕｒａｔｅ社が、本件商標の通常使用権者であるとは認められない。
　また、被請求人は、本件商標権者が、本件商標又は本件商標と社会通念上同一の商標を、本件取消請求に係る指定役務のいずれかについて、日本国内で要証期間に、本件取消請求に係る使用役務のいずれかについて使用していることを証明していない。
　したがって、本件商標の使用者は、本件商標権者、専用使用権者又は通常使用権者のいずれかであることが特定することができない。
　（２）本件商標の使用に係る役務について
　本件使用役務は、本件取消請求に係る指定役務には含まれない。
　その他、被請求人は、商標権者又は使用権者のいずれかが、本件商標又は本件商標と社会通念上同一の商標を、本件取消請求に係る指定役務のいずれかについて、日本国内で要証期間に、使用したことを立証していない。
　（３）まとめ
　以上のとおり、本件商標の使用者が、商標権者又は使用権者のいずれかについて特定することができず、本件使用役務は、本件取消請求に係る指定役務の範ちゅうに含まれない。
　また、被請求人が提出した全証拠によっても、商標権者又は使用権者のいずれかが、本件商標又は本件商標と社会通念上同一の商標を、本件取消請求に係る指定役務のいずれかについて、日本国内で要証期間に、使用したとは認められない。
　４　被請求人の主張について
　被請求人は、本件商標権者から本件商標の通常使用権の黙示の許諾を受けたＱｕｒａｔｅ社が、本件商標を要証期間に日本国内において、本件使用役務について使用している旨を主張する。
　しかしながら、Ｑｕｒａｔｅ社が、本件商標の通常使用権者であるとは認められないものであり、かつ、被請求人が、本件取消請求に係る指定役務に含まれると主張する本件使用役務は、いずれも、本件取消請求に係る指定役務の範ちゅうに含まれない。
　また、被請求人が提出した全証拠を総合してみても、商標権者又は使用権者のいずれかが、要証期間に本件商標又は本件商標と社会通念上同一の商標を本件取消請求に係る指定役務に、使用していることを証明するものは見いだすことができない。
　したがって、被請求人の上記主張は、採用できない。
　５　むすび
　以上のとおり、被請求人が提出した全証拠によっては、被請求人は、要証期間に、日本国内において、商標権者又は使用権者のいずれかが、本件商標又は本件商標と社会通念上同一と認められる商標を、本件取消請求に係る指定役務のいずれかについて、商標法第２条第３号各号に規定する使用行為を行ったことを証明していない。
　また、被請求人は、本件商標を使用していないことについて正当な理由があることも明らかにしていない。
　したがって、本件商標は、商標法第５０条の規定により、その指定商品及び指定役務中の「結論同旨の指定役務」についての登録を取り消すべきものである。
　よって、結論のとおり審決する。